(57)【特許請求の範囲】
【請求項１】
底板を有する缶本体の円筒形側壁にエンボス加工する方法であって、前記側壁が、前記缶本体の内径を構成し製品に接する側およびその反対側にあって消費者に対する側を有している前記方法において、前記方法が、
円筒形本体部を有する雌ツーリング部材であって、前記円筒形本体部が、前記缶本体の内径より小さい外径を有し、一つまたはそれ以上の凹んだ部分を円筒形本体部の面内に形成する前記雌ツーリング部材を設けること、
円筒形表面を有する雄ツーリング部材であって、前記雄円筒形表面はそこから延びる一つ又はそれ以上の突出部分を有し、前記突出部分は前記雌ツーリング部材の凹んだ部分と対応するように構成された前記雄ツーリング部材を設けること、
前記雌ツーリング部材を、前記缶側壁の製品に接する側に接近して缶本体内に挿入すること、
缶本体の消費者に接する側に前記雄ツーリング部材を係合させること、
雌および雄ツーリング部材が、雌および雄ツーリング部材に連繋した歯車係合によって、互いに反対方向に回転することによって、雌および雄ツーリング部材間の噛み合い点を通って、本体の連続した側壁を移行させること、
雌ツーリング部材中の中央孔を通って空気を送り、雌ツーリング部材から缶本体を放出することによる、雌ツーリング部材から缶本体を取り外すこと、
の各工程を含み、
雌ツーリング部材と雄ツーリング部材との間の噛み合い点を通って缶本体の連続した側壁を移行させる際、凹んだ部分と突出部分は、その間に缶本体の側壁を挟み、凹んだ部分と突出部分との間でエンボス加工し、前記円筒形側壁に、エンボス形状を付与し、缶本体が雌ツーリング部材上に受け取られると、両ツーリング部材の完全な１回転が、缶本体の円筒形側壁をツーリング部材間に移行させる、缶本体の円筒形側壁にエンボス加工する方法。
【請求項２】
雄ツーリング部材の円筒形本体部から延びる少なくとも二つの突出部分を備え、前記突出部分の一つが他の突出部分より大きい突出高さを有して多寸法高さのエンボス形状を缶側壁に付与する雄ツーリング部材を設ける工程を含む請求項１に記載されたエンボス加工する方法。
【請求項３】
底板を有する缶本体の円筒形側壁のエンボス加工用ツーリング装置であって、前記側壁が、前記本体の内径を構成し製品に接する側およびその反対側にあって消費者に接する側を有する前記ツーリング装置において、前記ツーリング装置が、
円筒形表面を有する雌ツーリング部材であって、前記円筒形表面が前記缶本体の内径より小さい外径を有し、前記円筒形表面が一つまたはそれ以上の凹んだ部分を該円筒形表面に形成しかつ缶本体内に挿入されるように構成された前記雌ツーリング部材、
円筒形表面を有する雄ツーリング部材であって、前記円筒形表面から延びかつ雌ツーリング部材の前記凹んだ部分に対応するように構成された一つまたはそれ以上の突出部分を具えた雄ツーリング部を有し、
雄ツーリング部材のそれぞれ個々の突出部分は、雌ツーリング部材の円筒形表面上の凹んだ部分に対応し、雌および雄ツーリング部材は、完全な１回転によって、ツーリング部材間に送られる缶本体に、実質的に缶の円筒形側壁全部にエンボス加工し、
前記円筒形側壁は、エンボス加工され、
前記缶本体は、雌および雄ツーリング部材間の噛み合い点を通って、雌および雄ツーリング部材が、雌および雄ツーリング部材に連繋した歯車係合によって、互いに反対方向に回転することによって、雌および雄ツーリング部材間に送られ、
前記雌ツーリング部材は、空気の通る孔を有し、缶本体から雌ツーリング部材から放出する、缶本体の円筒形側壁のエンボス加工用ツーリング装置。
【請求項４】
雄ツーリング部材は、円筒形本体部から延びる複数の突出部分を有し、前記複数の突出部分の少なくとも一つは他のものに対して異なった高さを有し、多寸法高さのエンボス形状を缶側壁に付与する請求項３に記載されたツーリング装置。
【発明の詳細な説明】
本発明は一般的に典型的にはビールおよび飲料工業に使用されるタイプの改良された缶、およびそれを製造する方法および装置に関するものである。とくに、本発明はかかる缶をさらに成形またはエンボス加工するためのツーリング装置である。缶壁にエンボス加工された特徴は缶に予め施された図柄と調和し、缶の多次元的効果を明示することができる。
ビールおよび飲料工業に使用される型のツーピース缶は、底板と一体の本体および缶端部よりなる。一体の本体は典型的には引抜きおよびしごき工程を通じて形成される。缶端部は、典型的にはイージーオープンスタイルの端部に加工された端部シェルよりなる。缶本体が製品を充填された後、加工された端部は本体の開放端部に接合される。ツーピース缶は主としてアルミニウム板製品から成形され、ビールおよび飲料工業によって使用される金属缶のもっとも普通の型である。包装工業においてきわめて重要なことは、包装／製品の高度の識別および消費者の歓心を達成するため、缶の外観を改善する要望である。
ツーピースの引抜きおよびしごき加工されたアルミニウム缶全体の外観を改善するため、種々の試みがなされた。これらの試みは二つに分けられる。その一方は、缶本体に適用される図柄の技術において、色の追加使用を通じて装飾される缶の外観を改善するため、種々の努力がなされた。たとえば、缶の装飾は４色から６色にそして今や単一の缶本体の装飾装置によって適用可能な８つの異なった色が使用されている。他方では、缶本体自体をさらに成形することにより缶自体の外観を変更するための努力がなされてきた。たとえば、米国特許意匠第２８３０１１号および同意匠第２９０６８８号に開示されたような、缶本体の側壁に溝状外観を設けることが公知である。上記特許に図示されたデザインを製作する缶加工用方法および装置が、米国特許第５３４９８３７号明細書に開示され、その内容をまったくその通りに参照のためここに引用する。
しかしながら、溝付き側面を有する缶が加圧されるとき、缶の消費者に接する側において溝付き外観は少なくされ、缶の全体に亘る溝付き外観は消滅する。溝付き側壁の完全な影響は、飲料缶が開口されその内部圧力が周囲と同じになるまで実現されない。さらに、溝付きの特徴は所定の物理的パターンで適用されるにしても、パターン自体は缶本体にすでに適用された図柄に対して、いかなる調和したまたは所定の関係を持つこともない。溝付きパターンまたは現存する図柄は、缶の可視的影響を高める統合した芸術的統一体を表現しない。溝付き特徴の適用は、缶の図柄に対して一様でない。したがって、缶の技術的加工によって、さらに形成される、たとえば溝付けのような加工が、缶の装飾と整合する方法および装置を得ることは、この工業において長年の目標であった。同様に、缶の内容物が高圧であるときでさえ、缶本体がさらに加工された特徴を維持するように、缶本体の外観を高める方法を得ることもこの工業において目標であった。
したがって、本発明の目的は缶の外観をよくするために缶本体側壁をエンボス加工する装置及び方法を提供することであって、所定のやり方でエンボス加工を施すことにより、エンボス模様を缶の現存する図柄または装飾に整合させることである。
また本発明装置の目的は、缶の内容物が高圧状態で収容されているときでさえも、缶側壁上に特徴を有する缶本体がその完全性を維持する缶本体を提供することである。
本発明のなお別の目的は、缶側壁のエンボス加工が、缶側壁によって形成される面から区別される二つまたはそれ以上の基準面を有するように形成することが可能であるツーリング装置を提供することである。
本発明のさらに別の目的は、缶にすでに適用された装飾または図柄技術へのエンボス加工の適用を通じて改善された外観を示す缶本体を提供することである。
本発明によれば、缶の側壁は、缶本体の側壁上にエンボス加工される種々の特徴に調和するため、さらに成形される。ツーピース缶はビールおよび飲料工業において主要な位置を占める。ツーピース缶において、成形された底部から延びる連続した側壁と開放頂部を備えた引抜きおよびしごき加工された本体は、典型的にイージーオープンの特徴を備えた缶端部によって閉鎖される。しかしながら、本発明のツーリング装置は、端部が開放した円筒形側壁が別の端部パネルによって頂部および底部を閉鎖される通常のスリーピース缶本体と一緒に使用可能であることは容易に理解しうるであろう。
本発明によれば、缶側壁のエンボス加工用ツーリングセットは、雄および雌部材を備えている。ツーリングセットは、それらの間に缶をうけ入れるため、缶を一方の部材上に、好適には雌部材上に配置される。ついで、雄ツーリングは、缶側壁が、隣接する雌ツーリング部材によって構成されるピンチ点に係合するように、雌ツーリング部材に係合する。缶を雌ツーリング上に保持すると、雌および雄ツーリング部材は反対方向に回転する。ツーリング装置は、缶の側壁に加工し、側壁の表面を再度構成するエンボス加工する。
雌ツーリング部材は、一つまたはそれ以上の凹んだ部分をそこに具えた円筒形表面を有する。雄ツーリング部材は、そこから延びて雌部材の凹んだ部分に対応するように構成された、一つまたはそれ以上の突出部分を具えた円筒形表面を有する。雌の凹んだ部分と雄の突出部分との組合わせは、装飾パターンを画定するように配置可能である。雄および雌ツーリング部材は相対的に連続回転し、前記凹んだ部分と突出部分との間に実質的に一定の相対的位置を維持し、缶本体の連続した側壁はツーリング部材間に輸送され、装飾的エンボス加工された特徴が缶本体の側壁に形成される。
雌ツーリング部材面の凹んだ部分は、パンチを構成する対応した雄の突出部分のためのレリーフを構成する。雌ツーリング部材の凹所は、雄の最大高さの突出部分をそこにうけ入れるのに十分な、雌ツーリング部材の円筒形表面に対する深さとすることができる。雄ツーリング部材は、雄ツーリング部材の円筒形表面に対して高さの変化する突出部分を備えることができる。雌レリーフの相対的深さにもかかわらず、缶側壁は雄ツーリング部材のサイズまたは高さだけしか変形されないであろう。雄ツーリング部材が、突出部分のパターンを有していて、突出部分のあるものがそれらの最大のものより高さが低いとき、エンボス加工されて側壁に形成されるパターンは、多重平面の装飾特徴を構成するであろう。得られるものは、複雑な物理的特徴を備えた構造面またはエンボス構造の缶である。エンボス加工によって創造されるこれらの面の特徴は、缶本体に適用された従来の装飾と調和し、たとえばビール、飲料および食品工業において、使用するための包装をドラマチックにすることができる。
本発明の上記ならびに他の特徴および利点は詳細な図面の参照を通して認識することできるが、それにおいて、
図１は、本発明のエンボス加工工程の実施に先立つ通常のツーピースビールおよび飲料缶の缶本体部分の側面図である。
図２は、本発明のツーリング部材が取付け可能な一部が断面図で示された固定および可動マンドレルの側面図である。
図３Ａ、図３Ｂおよび図３Ｃは、本発明の雌ツーリングの側面図、断面図および部分詳細図である。
図４Ａ、図４Ｂおよび図４Ｃは、本発明の雄ツーリングの側面図、断面図および部分詳細図である。
図５Ａおよび図５Ｂは、その上にエンボス加工するため缶本体に係合する、図３および図４に示されたツーリングの一部の断面図である。
図６Ａおよび図６Ｂは、ツーリングの円筒形表面の３６０°全部の雌および雄ツーリングパターンの平面的表示であり、図６Ｃは図６Ｂの６Ｃ−６Ｃ線に沿う断面図である。
図７は、本発明方法および装置の多寸法面の特徴を示す、通常のツーピースビールおよび飲料缶の完全に成形され缶本体部分の側面図である。
図１において、本発明によってエンボス加工するのによく適したツーピース飲料缶の通常の缶本体は、全体的に符号４０で示されている。缶４０は開放端部４４を備えた缶本体部分４２を有する。本体部分４２は底部４６および飲料側５０および外側５２を有する連続した壁４８を備えている。ツーピース缶はビールおよび飲料工業において主要な位置を占める。ツーピース缶において、成形された底部から延びる連続した側壁を有する引抜きおよびしごき加工された本体は、開放頂部がイージーオープンの特徴を備えた（図示しない）缶端部によって閉鎖される。しかしながら、本発明のツーリング装置は、端部が開放した円筒形側壁が頂部および底部を別々の端部パネルによって閉鎖される通常のスリーピース缶本体と一緒に使用しうることが、容易に認識されるであろう。
本発明のツーリング装置は、“缶の整合されるエンボス加工用装置および方法”と称する本願の被譲渡人の出願中の出願番号第０８／６８４１１４号、および“缶のエンボス加工装置および方法”と称する同じく出願中の出願番号第０８／６９４７１３号に記載された型の装置に使用するのに理想的に適している。
図２に目を転ずると、ツーリング装置が使用される環境は、第１または固定マンドレル７０および第２または往復動マンドレル７６と組合わせて図示されている。
各マンドレルは、缶本体の側壁にエンボス加工するため共働して作業するための、それら自体のツーリング部材１００および２００を支持している。固定マンドレル７０は、缶本体をツーリング部材に取付ける機構の直上に、かつそれと整合して軸線７０ａの周りに回転すべく取付けられている。第１マンドレル７０は、歯車装置によって駆動され、その固定軸線の周りに回転する。軸８８は、ハウジング９０内に回転可能に取付けられている。第１マンドレル７０は、軸受装置１２１によって回転運動を促進すべく、ハウジング９０内に支持されている。第１ツーリング部材は固定位置にある軸線の周りに回転するという意味においては“固定”されている。固定マンドレル７０は第１ツーリング部材１００を支持している。このツーリング部材１００は、その形状のため雌ツーリング部材とも称せられる。支持軸８８は、回転ユニオン１１５から雌ツーリング部材１００のノーズ片１１７まで延びる、貫通する中央孔１１３を有する。中央孔１１３は、缶本体をエンボス加工作業の終了に続いて雌ツーリングから放出するために、加圧空気が通される通路を備えている。
第２または可動マンドレル７６は、第１または固定マンドレル対して前後に往復動する軸線７６ａの周りの回転運動のため取付けられている。可動マンドレル７６は第２のまたは雄ツーリング部材２００を支持している。雄ツーリング部材２００は、缶側壁のエンボス加工を実施するため雌ツーリング部材１００と共働する。雌ツーリング部材は、一つまたはそれ以上の凹んだ部分を具え、雄ツーリング部材はそこから延びかつ雌ツーリングの凹んだ部分と対応するように構成された一つまたはそれ以上の突出部分を備えた表面を有する。缶本体の連続した側壁は、下記に詳細に記載されるように、特徴を缶本体の側壁にエンボス加工するため、雄および雌ツーリング部材の間に輸送される。主ピボットアーム組立体２５４は、主支持軸２５６の周りに往復回転運動すべく取付けられている。ピボットアーム組立体２５４は、ピボットアーム組立体を雄ツーリング部材に係合、離脱させるため往復動するレバーカムアーム２５８または別の機構に固定される機械的連結装置を備えることができる。
軸２６４の最上端にはバックラッシュ防止組立体２７０が取付けられている。バックラッシュ防止組立体２７０は、固定マンドレル７０の軸８８上の平歯車１２０と機械的に連結された平歯車として作用する。第１マンドレル７０の回転は平歯車１２０を回転せしめ、平歯車１２０自体可動マンドレル７６のバックラッシュ防止組立体２７０と機械的に連結されている。この歯車装置は、固定および可動マンドレルが関連するエンボス加工ステーションがコラムの周りのタレットによって輸送されるとき、固定および可動マンドレルの均一な回転を維持する。固定および可動マンドレル上の平歯車は離れるが、完全に分離することは決してない。第１マンドレルに対する第２マンドレルの往復運動は、缶本体を第１または固定マンドレルの雌ツーリング部材に取付けまたは取外すのに必要な隙間を設けるために必要な程度でさえあれば、それで十分であることが認識されるであろう。缶本体の現在の厚さが約０．１０〜０．１５mm（０．００４〜０．００６インチ）であり、缶本体をマンドレル上に取付けるのに必要な隙間は比較的小さい。
缶が、缶に３６０°全部にエンボス加工するように、雄および雌ツーリング部材を通して１回転した後、缶は雌ツーリング部材から除去される。
図３、図４および図５に目を転ずると、雌および雄ツーリング部材１００および２００がいちじるしく詳細に示されている。雄ならびに雌ツーリングは、好適には、望ましい摩耗および許容可能な成形特性を示す、ポリウレタンのようなポリマから作られる。まず図３Ａ、図３Ｂおよび図３Ｃを参照すると、円筒形本体部分１０１を具えた雌ツーリング部材１００が示されている。図３Ｂから分かるように、円筒形本体１０１は、ツーリングを取付けるための第１マンドレルの支持軸８８と共働すべく構成された貫通する中央孔１０３を有する。
雌ツーリング部材の最大外径は、エンボス加工のためその上に挿入される缶本体の内径より僅かに小さい。ツーリングの外径は円筒形本体１０１の最外側表面１０５によって画定される。多数のレリーフ１０７が円筒形本体の面に形成されている。表面材料が部分的に円筒形本体から除去されるとき、パターンがツーリング部材に形成できる。かかるパターンの一例は図３Ａに示され、被譲渡人の商標がツーリング上に存在する。雌ツーリングはある意味で写真の陽画に等しい。
図３Ａに示されたパターンは、上記のように、雌ツーリング部材において製作し得るきわめて多数の形状のほんの一例である。ツーリングを形成する適当な方法は、レーザ彫刻の使用を通じてなされることが発見された。ツーリング部材の表面１０５とレリーフ部分１０７との間には側壁部分１０９が延長している。
図４Ａ、図４Ｂおよび図４Ｃに目を転ずると、雄ツーリング部材２００は、往復動マンドレル７６の軸２６４上に円筒形ツーリング部材を取付けるように構成された中央孔２０３を備えた、円筒形本体部分２０１を有する。雄ツーリング部材は図柄の外観が反対にされることにおいて写真の陰画に等しい。このことは図４Ａにおける被譲渡人の商標の字体の外観によって見ることができる。雄ツーリング部材は多数の突出部分２０５およびレリーフ部分２０７を有する。それらの間には壁２０９が延長している。図５Ａおよび図５Ｂに目を転ずると、雄および雌ツーリング部材が缶本体にエンボス加工するため共働する方法を容易に認識することができる。
円筒形缶４０が雌ツーリング部材１００上に挿入された後、往復動マンドレルは雄ツーリングを雌ツーリングに対するピンチ点関係にする。図５Ａに示されたように、ツーリング部材が相対的に回転するとき、雌ツーリング部材１００は図５Ａに示されたように時計方向に回転し、雄ツーリングは反時計方向に回転する。缶側壁は約０．１０〜０．１５mm（０．００４〜０．００６インチ）の厚さを有する。このことは参照符号Ｐによって示されたピンチ点が缶側壁４２にエンボス加工するように図５Ａに見ることができる。缶側壁がツーリングによってさらに成形されることを可能にするため、十分な隙間が、雄および雌ツーリング部材の間に設けられている。隙間はまた、雄ツーリングの参照符号２１１によって全体的に示された突出部分と、雌ツーリング部材１００の凹んだ部分１１１との間のピッチの差を補償するのに十分である。好適には、雄ツーリング部材の突出部分は、雌ツーリング部材の対応する凹んだ部分１１１に対してすべての方向に約０．２５mm（，０．１０インチ）短縮される。好適な実施例において、雄ツーリングの突出部分は側壁を０．３０mmと５mmとの間（，０．１０および０．２０インチの間）の深さにエンボス加工される。上記隙間とポリウレタンツーリングの使用の組合わせが、エンボス加工作業の間の缶の側壁またはツーリング部材の特徴、すなわち凹んだ部分および突出部分上の不必要な歪みを回避するように、ツーリング部材の間の十分な隙間を生ずる。
本発明者等は、本発明のツーリングによってエンボス加工された側壁を有する缶が、典型的には炭酸飲料に関連する内圧に耐え得ることを発見した。さらに、かかる圧力下においてさえも、本発明のエンボス加工された缶は缶特徴を保持する。換言すれば、エンボス加工された特徴は見えたままであるとともに、缶の内容物が圧力下にありながらでさえも、触感が得られる。本発明のツーリングから得られる他の特徴は、エンボス加工された個所に近接した缶側壁は、缶側壁が上昇した様な外観を創り出すことである。
この結果は、消費者大衆に対する喜ばしくかつ魅力的外観を現出する、缶における多次元的効果である。図５Ｂにおいて参照符号Ｅで示されたような種々のエンボス加工された特徴は、図３Ａに示された雌ツーリング部材の外観を有する缶本体を得るため、缶本体に組合わせることができる。雌ツーリング部材のレリーフ部分の相対的深さを変更する一方、雄ツーリングにおける対応する突出部分の相対的高さを増加することにより、缶側壁に対する多次元的エンボス加工効果が可能であることを認識すべきである。しかしてある特徴は、多かれ少なかれツーリング特徴の深さおよび高さに従って際立つたものとされ、識別し得る包装製品にさせる。図６Ａ、図６Ｂおよび図６Ｃに示されたように、雌ツーリング１００のレリーフ部分は、鮮明であり、雄ツーリング２００の突出部分２０５は白(white)である。図６Ａおよび図６Ｂの格子構造“Ｌ”は、各交叉部材の周りの領域をエンボス加工する突出部分“Ｐ”によって形成されている。図７に示された缶の格子構造は、エンボス加工部分、すなわち雄ツーリング突出部分“Ｐ”によって形成または押下げられた側壁の部部に対して、手触りがある程度に隆起した交叉部材を有する。突出部分“Ｐ”の高さは所定の高さとすることができ、たとえば語“Ａｌｃｏａ”の奇抜な“Ａ”のシンボルを形成する突出部分は、第２の異なった高さとすることができる。三つまたはそれ以上の異なった高さを使用しうることは明らかである。
上記に記載されたことは、缶側壁にエンボス加工する方法および装置、およびエンボス加工された特徴と組合わされる缶である。本発明は特殊な実施例に関して記載しかつ図示されたが、本発明は添付の請求項の範囲の記載内での保護をうける資格があることを理解すべきである。
好適な装置におけるツーリングの適用
本発明のツーリングは缶の連続処理装置に取付け可能である。かかる装置の二つの例が、“缶の整合されるエンボス加工用装置および方法”と称する被譲渡人の出願中の出願番号第０８／６８４１１４号、および“缶をエンボス加工する装置および方法”と称する出願番号第０８／６９４７１３号明細書に記載されている。要するに、これら出願中の特許出願の双方は、支持コラム上で一定回転するため取付けられたタレットを備えている。タレットはその周囲に円周方向に配置された複数の実質的に同じエンボス加工ステーションを有する。
タレットはコラムの周りを回転し、タレットの回転移動のある部分の間、続いて缶本体取入れステーションから、取付け、エンボス加工、取外し作業の各作業ステーションを通り、最後に缶本体排出ステーションに輸送する。缶本体は、通常の移送装置によって装置に供給され、また除去される。缶を扱う装置の他の例は、米国特許第４５１９２３２号の“缶の首を収縮する装置”、同第４２６６６８５号の”缶本体およびそれを製造する方法”に開示されており、それらを参照のためここに引用する。
各エンボス加工ステーションは、固定軸の周りに回転すべく支持された第１マンドレル、および往復動する第２軸の周りに回転すべく支持された第２マンドレルを有する。第２軸は、第１軸に近い第１位置と第１軸から離れた第２位置との間で、下記に記載されるように往復動する。第２マンドレルの往復運動は、支持コラム上に配置されたカム機構によって制御される。各エンボス加工ステーションは、それぞれ第１または第２マンドレルの一方と共働する一対のツーリング部材と組合わされ、ツーリング部材の対の一方は雌部材であり、他方は雄部材である。第１マンドレルと共働するツーリング部材は、内側ツーリング部材を構成し、エンボス加工作業中、缶本体は実質的にそれをとり囲んでいる。内側ツーリング部材は、缶側壁の製品側と接触する。好適には、内側ツーリングはまた雌ツーリング部材を構成する。第２マンドレルと共働するツーリング部材は、エンボス加工作業中、缶側壁の消費者側と接触することにおいて、外側ツーリング部材を構成する。この外側ツーリング部材は雄ツーリング部材を構成する。内側および外側ツーリング部材は、相対的に接近した第１位置において、回転するツーリング部材が缶本体の連続した側壁に接触し、本発明装置による缶本体のエンボス加工を開始するように、十分に接近する。ツーリング部材は実質的に連続した側壁全部をさらに成形するように、ほぼ３６０°全部回転せしめられる。
固定および可動マンドレルの双方は、その上にツーリング部材を支持する。第２マンドレルが第１マンドレルに近い第１位置にあるとき、両方のツーリング部材は、第１マンドレルツーリング上に取付けられた缶本体と接触して配置される。この状態において、第１ならびに第２マンドレルは缶本体にさらに成形可能である。第２マンドレルが第１マンドレルから離れた第２位置にあるとき、缶本体をツーリングに取付けまた取外すことを容易にするため、二つのツーリング部材の間に十分な隙間が設けられる。
各作業ステーションはまた、第１マンドレルと軸線方向に整合した取付機構を備えている。取付機構は第１の缶取入れ高さまたは位置と、第２の高さまたは取入れた缶本体を第１マンドレルツーリング部材上に出し入れする取付け、取外しする位置の間で軸線方向に往復動せしめられる。カムフォロワー装置が取付機構の下端に設けられ、缶本体支持プラットホームが取付機構の上端に配置されている。カムフォロワー装置が、取付機構を第１および第２の高さの間で往復動させるためコラムの基部の周りに円周方向に配置されたリフトカムに沿って移動する。缶本体支持プラットホームは、取付機構が支持コラムの周りに輸送されかつ上下に往復動する間、缶本体の底部またはドーム部分に積極的に係合する真空装置を備えている。
缶が缶本体支持プラットホーム上に配置された後、かつ缶を第１マンドレルに取付ける前に、支持プラットホームは缶本体を毎分約６００〜１２００回転の速度で缶の対称軸の周りに回転させる。センサ装置が、缶本体の下端方または閉鎖端に近い位置に予め付与されたタイミングマークを確認する。マークは缶本体の側壁に印刷された装飾または缶の底部に適用された一体の特徴とすることができる。取付機構はセンサ装置の出力に応答するサーボモータを備えることができる。缶本体支持プラットホームは、タイミングマークを把握するまで缶本体を回転する。タイミングマークを把握すると回転は停止され、缶の所定の位置が維持される。缶はいまや雌マンドレルツーリングに対して所定の位置にあり、取付機構は上昇位置へのその移動を完了し、缶本体を雌ツーリング上に取付ける。雄および雌ツーリングは缶本体側壁のエンボス加工を完了し、図柄がエンボス加工されたまたは、さらに形成された特徴と調和する缶が得られる。
作用において、タレットが作業ステーションを支持コラムの周りに輸送するとき、取付機構支持プラットホームは、第１または下方の高さにおいて、缶本体を缶本体取付ステーションに取入れる。缶本体は、第１マンドレルツーリング部材に対して軸線方向に整合して保持する真空によって、支持プラットホームに保持される。支持プラットホームは缶本体を回転し、一方センサ装置は缶本体上のタイミングマークのようなある示標を確認する。示標確認の際回転は停止され、第１または固定マンドレルの雌ツーリングに対して所定位置に保持される。取付機構は、カム従動装置によって、缶本体を第２の高さに上昇させ、それを第１マンドレルツーリング上に挿入する。しかして、第１マンドレルツーリングに缶側壁の製品側が接触する。第２マンドレルは第１マンドレルに近い第１位置に往復動する。第２マンドレルツーリングには缶側壁の消費者側が接触する。第２マンドレルは、両方のマンドレルがそれらの各軸線の周りを一回転するために第１位置に留まり、ついで第１マンドレルから離れた第２位置へと往復動する。
缶本体は第１マンドレルツーリングから、好適には、第１マンドレルの軸線またはその付近の孔を通って供給される空気圧力によって除去される。取付機構は缶本体の底部に、好適には真空装置の作用によって再度係合し、缶本体を第１の高さに下げる。タレットはコラムの周りに回転を続けて取付機構を缶本体排出ステーションに設置する。
図７に目を転ずると、本発明方法および装置によって形成された缶は、様々の深さにエンボス加工された特徴を有する。
以上記載されたことは缶にエンボス加工する方法および装置、およびエンボス加工された側壁を備えた進歩した缶である。
【図１】
0003704359.tif 000002
【図２】
0003704359.tif 000003
【図３Ａ】
0003704359.tif 000004
【図３Ｂ】
0003704359.tif 000005
【図３Ｃ】
0003704359.tif 000006
【図４Ａ】
0003704359.tif 000007
【図４Ｂ】
0003704359.tif 000008
【図４Ｃ】
0003704359.tif 000009
【図５Ａ】
0003704359.tif 000010
【図５Ｂ】
0003704359.tif 000011
【図６Ａ】
0003704359.tif 000012
【図６Ｂ】
0003704359.tif 000013
【図６Ｃ】
0003704359.tif 000014
【図７】
0003704359.tif 000015